(57)【特許請求の範囲】
【請求項１】
画像形成装置または画像読取装置に備えられる操作装置において、
特定の機能が予め割り付けられた複数の機能キーとともに割付指示キーを備える、階層的に位置付けられた複数の機能設定画面、および前記複数の機能の中の任意の機能を割り付けることのできるショートカットキーを備えるショートカットキー表示画面が表示可能な表示部と、
前記機能キーおよび前記ショートカットキーが選択されると、その選択されたキーに割り付けられた機能を前記画像形成装置または画像読取装置に対して実行可能に設定する機能設定部と、
前記割付指示キーが選択されると、その割付指示キーを備える機能設定画面が前記表示部に表示されるまでに設定された一連の機能を前記ショートカットキーに割り付ける機能割付部とを備え、
前記表示部は、それぞれ少なくとも１のショートカットキーを備える複数のショートカットキー表示画面を切替表示可能とされ、
前記機能割付部は、前記設定された一連の機能を割り付ける対象のショートカットキーを前記複数のショートカットキー表示画面のショートカットキーの中から選択可能に構成されていることを特徴とする操作装置。
【請求項２】
前記表示部は、それぞれ複数のショートカットキーを備える複数のショートカットキー表示画面を表示可能とされ、前記機能割付部は、前記設定された一連の機能を割り付ける対象のショートカットキーを前記複数のショートカットキー表示画面の複数のショートカットキーの中から選択可能に構成されていることを特徴とする請求項１に記載の操作装置。
【請求項３】
前記表示部は、複数のショートカットキーを備えるショートカットキー表示画面を少なくとも１つ表示可能とされ、
前記機能割付部は、前記設定された一連の機能を割り付ける対象のショートカットキーを前記複数のショートカットキーの中から選択可能に構成されていることを特徴とする請求項１に記載の操作装置。
【請求項４】
前記機能割付部は、前記割付指示キーが選択されると、その割付指示キーを備える機能設定画面が前記表示部に表示されるまでに設定された一連の機能とともに、その機能設定画面で設定された機能も前記ショートカットキーに割り付けることを特徴とする請求項１ないし３のいずれかに記載の操作装置。
【請求項５】
前記表示部は、前記割付指示キーが選択されると、前記設定された一連の機能が割り付けられたショートカットキーを、機能が割り付けられていないショートカットキーとは異なる表示形態で表示することを特徴とする請求項１ないし４のいずれかに記載の操作装置。
【請求項６】
前記表示部は、前記割付指示キーが選択されると、前記設定された一連の機能が割り付けられたショートカットキーの表示領域に、その割り付けられた機能を示すように構成されていることを特徴とする請求項５に記載の操作装置。
【請求項７】
前記表示部は、前記割付指示キーが選択されると、予め用意されている定形名称選択画面を表示し、前記定形名称選択画面により定形名称が選択されると、その選択された定形名称をショートカットキーの名称として表示することを特徴とする請求項６に記載の操作装置。
【請求項８】
前記表示部は、前記割付指示キーが選択されると、予め用意されている文字入力画面を表示し、前記文字入力画面によりショートカットキーの名称が入力されると、その入力名称をショートカットキーの名称として表示することを特徴とする請求項６に記載の操作装置。
【請求項９】
前記表示部は、前記割付指示キーが選択されると、予め用意されているアイコン選択画面を表示し、前記アイコン選択画面によりアイコンが選択されると、その選択されたアイコンを前記ショートカットキーのアイコンとして表示することを特徴とする請求項６に記載の操作装置。
【請求項１０】
前記表示部は、前記割付指示キーが選択されると、予め用意されている定形名称選択画面とアイコン選択画面とを表示し、前記各画面により定形名称及びアイコンが選択されると、その選択された定形名称及びアイコンを前記ショートカットキーの名称及びアイコンとして表示することを特徴とする請求項６に記載の操作装置。
【請求項１１】
前記表示部は、前記割付指示キーが選択されると、予め用意されている文字入力画面とアイコン選択画面とを表示し、前記各画面によりショートカットキーの名称の入力及びアイコンの選択が行われると、前記入力された名称及び選択されたアイコンを前記ショートカットキーの名称及びアイコンとして表示することを特徴とする請求項６に記載の操作装置。
【請求項１２】
前記ショートカットキー表示画面は、当該操作装置の電源がＯＮされた直後に表示される画面であることを特徴とする請求項１ないし１１のいずれかに記載の操作装置。
【請求項１３】
前記ショートカットキー表示画面は、当該ショートカットキー表示画面から前記機能設定画面に切り換えるキーを備えていることを特徴とする請求項１ないし１２のいずれかに記載の操作装置。
【請求項１４】
前記ショートカットキー表示画面にも前記割付指示キーを備えていることを特徴とする請求項１ないし１３のいずれかに記載の操作装置。
【請求項１５】
前記表示部は、前記一連の機能が割り付けられたショートカットキーが選択されたときに、前記一連の機能が設定された状態の機能設定画面を表示することを特徴とする請求項１ないし１４のいずれかに記載の操作装置。
【請求項１６】
請求項１ないし１５のいずれかに記載の操作装置を備え、
前記操作装置の表示部に表示される機能設定画面またはショートカットキー表示画面の前記機能キーまたは前記ショートカットキーが選択されると、その選択されたキーに割り付けられた機能で画像を形成する画像形成装置。
【請求項１７】
請求項１ないし１５のいずれかに記載の操作装置を備え、前記操作装置の表示部に表示される機能設定画面またはショートカットキー表示画面の前記機能キーまたは前記ショートカットキーが選択されると、その選択されたキーに割り付けられた機能で画像を読み取る画像読取装置。
【発明の詳細な説明】
【０００１】
【発明の属する技術分野】
本発明は、所望の機能が割付け可能なショートカットキーを備える操作装置、操作装置を備える画像形成装置及び画像読取装置の技術分野に属する。
【０００２】
【従来の技術】
例えば、特許第３００６６９３号には、所望の機能を割り付けることのできるお好みキーを基本画面に表示させる記録装置の操作装置が開示されている。この操作装置は、当該装置に備えられた複数の機能が、「基本」，「応用」，「専門」，「マーカー編集」の４つの項目にそれぞれ階層的に分類され、各機能を設定するための設定画面が各層ごとに備えられているとともに、基本画面には、各機能キーに加えて、所望の機能を割り付けることのできる「お好みキー」と呼ばれるキーが設けられている。
【０００３】
そして、例えば、「専門」の項目に属する「中継同報」の機能をお好みキーに割り付ける場合には、オペレータは、各設定画面で、「専門」キー、「仕様設定」キー、「登録」キー及び「パネル初期設定」キーをこの順に押圧操作し、「ＦＡＸお好みキー」と表示されたキーを有する画面を表示させる。また、この「ＦＡＸお好みキー」キーが押圧操作されると、登録可能な機能の一覧を表示画面に表示させ、「中継同報」キーが押圧操作されると、中継同報についての機能がお好みキーに割り付けられる。そして、基本画面のお好みキー表示領域に表示された「中継同報」キーが操作されると、表示画面が基本画面から中継同報についての設定画面に切り換わる。これにより、基本画面から中継同報画面にたどり着くまでの操作回数の低減を図っている。
【０００４】
【発明が解決しようとする課題】
しかしながら、上記のような従来技術には、次のような改良の余地がある。
【０００５】
すなわち、上述したように、お好みキーに所望の機能を割り付ける機能が、特定の項目（「専門」）の下層の唯一の画面にしか設けられておらず、割付け指示を行うための「ＦＡＸお好みキー」キーを表示する画面が、「専門」キー及びその下層の設定画面の各種キーを押圧操作して表示され、そこではじめて割付作業が可能となる。したがって、お好みキーに割り付けようとする機能が「基本」キーや「応用」キーに属する機能であっても、それとは別の項目である「専門」の項目のなかで割付作業を行わなければならないので、割付作業が複雑となる。
【０００６】
また、このような割付作業を行うために「専門」キーを含む各種キーを操作する必要があることを周知していない人は、装置の操作マニュアル等を参照するなどの作業が必要となり面倒である。
【０００７】
さらに、例えば「中継同報」等、途中の層までの機能の割り付けはできるものの、中継局ＩＤや同報宛先などの「中継同報」機能のさらに下層の機能（詳細な機能）については、逐次、「中継同報」のお好みキーにより所定の画面を表示部に表示させて入力操作する必要がある。よって、詳細機能の設定内容までほとんどいつも決まっているというような場合、上記のような詳細機能の設定作業を毎回行わなければならず、煩わしく感じられることがある。
【０００８】
本発明は、上記に鑑みてなされたもので、操作回数を低減させるためのキーが設けられる操作装置、操作装置を備える画像形成装置及び画像読取装置の操作性を向上させることを目的とする。
【０００９】
【課題を解決するための手段】
本発明に係る操作装置は、画像形成装置または画像読取装置に備えられる操作装置において、特定の機能が予め割り付けられた複数の機能キーとともに割付指示キーを備える、階層的に位置付けられた複数の機能設定画面、および前記複数の機能の中の任意の機能を割り付けることのできるショートカットキーを備えるショートカットキー表示画面が表示可能な表示部と、前記機能キーおよび前記ショートカットキーが選択されると、その選択されたキーに割り付けられた機能を前記画像形成装置または画像読取装置に対して実行可能に設定する機能設定部と、前記割付指示キーが選択されると、その割付指示キーを備える機能設定画面が前記表示部に表示されるまでに設定された一連の機能を前記ショートカットキーに割り付ける機能割付部とを備え、前記表示部は、それぞれ少なくとも１のショートカットキーを備える複数のショートカットキー表示画面を切替表示可能とされ、前記機能割付部は、前記設定された一連の機能を割り付ける対象のショートカットキーを前記複数のショートカットキー表示画面のショートカットキーの中から選択可能に構成されていることを特徴とするものである。
【００１０】
本発明によれば、複数の機能の中の任意の機能を割り付けることのできるショートカットキーを備えるショートカットキー表示画面を表示部に表示可能とし、且つ、階層的に位置付けられた複数の機能設定画面に、前記ショートカットキーへの機能の割り付け指示を行うための割付指示キーを備え、割付指示キーが選択されると、その割付指示キーを備える機能設定画面が前記表示部に表示されるまでに設定された一連の機能を前記ショートカットキーに割り付けられるように構成したから、各機能設定画面において、ショートカットキーへの機能の割付けを行うことができる。したがって、従来のように、機能を割付けるための画面を所定の項目の下層の唯一の画面にしか設けられていない場合に比べて、割付作業が簡単となり、操作装置の操作性を向上することができる。また、オペレータは、ショートカットキーへの機能の割付方法を周知しておく必要がなくなり、延いては、操作マニュアル等を参照するなどの面倒な作業も生じなくなる。なお、上記割付指示キーがすべての機能設定画面に表示されているとより好ましい。
【００１１】
その際、前記表示部を、複数のショートカットキーを表示可能とし、前記機能割付部を、前記設定された一連の機能を割り付ける対象のショートカットキーを前記複数のショートカットキーの中から選択可能に構成すると、複数の機能をそれぞれショートカットキーに割り付けることができ、上記複数の機能についてオペレータの操作回数が低減されるので、操作装置の操作性が更に向上される。
【００１２】
また、その場合に、それぞれ少なくとも１のショートカットキーを備える複数のショートカットキー表示画面を表示可能とし、前記設定された一連の機能を割り付ける対象のショートカットキーを前記複数のショートカットキー表示画面のショートカットキーの中から選択可能に構成するとよい。
【００１３】
また、前記表示部は、それぞれ複数のショートカットキーを備える複数のショートカットキー表示画面を表示可能とされ、前記機能割付部は、前記設定された一連の機能を割り付ける対象のショートカットキーを前記複数のショートカットキー表示画面の複数のショートカットキーの中から選択可能に構成してもよい（請求項２）。
【００１４】
また、前記表示部は、複数のショートカットキーを備えるショートカットキー表示画面を少なくとも１つ表示可能とされ、前記機能割付部は、前記設定された一連の機能を割り付ける対象のショートカットキーを前記複数のショートカットキーの中から選択可能に構成してもよい（請求項３）。
【００１５】
請求項１〜３に記載の発明によれば、同時に使う複数の機能の各ショートカットキーを１つの機能設定画面に集めて表示させたり、ある機能設定画面の全てのショートカットキーに機能が割り付けられたときに、別の機能設定画面のショートカットキーに機能を割り付けたりすることが可能となり、操作装置の操作性がより向上される。
【００１６】
前記割付指示キーが選択されると、その割付指示キーを備える機能設定画面が前記表示部に表示されるまでに設定された一連の機能とともに、その機能設定画面で設定された機能も前記ショートカットキーに割り付けるようにする（請求項４）と、そのショートカットキーが選択されたときには、前記機能設定画面で設定された機能も前記画像形成装置または画像読取装置に対して実行可能に設定されるので、機能設定時のオペレータのキー操作の回数がさらに低減し、操作装置の操作性が更に向上される。
【００１７】
また、前記割付指示キーが選択されたときに、前記設定された一連の機能が割り付けられたショートカットキーを、機能が割り付けられていないショートカットキーとは異なる表示形態で表示するように構成する（請求項５）と、機能が割り付けられたショートカットキーと機能が割り付けられていないショートカットキーとの区別が明瞭となるので、操作装置の操作性が更に向上される。
【００１８】
上記異なる表示形態で表示する一例として、設定された一連の機能が割り付けられたショートカットキーの表示領域に、その割り付けられた機能を示すように構成するとよい（請求項６）。
【００１９】
そして、ショートカットキーの表示領域に機能を示す一例として、予め用意されている定形名称選択画面を表示し、前記定形名称選択画面により定形名称が選択されると、その選択された定形名称をショートカットキーの名称として表示するとよい（請求項７）。
【００２０】
また、予め用意されている文字入力画面を表示し、前記文字入力画面によりショートカットキーの名称が入力されると、その入力名称をショートカットキーの名称として表示するようにしてもよい（請求項８）。
【００２１】
また、予め用意されているアイコン選択画面を表示し、前記アイコン選択画面によりアイコンが選択されると、その選択されたアイコンを前記ショートカットキーのアイコンとして表示するようにしてもよい（請求項９）。
【００２２】
また、予め用意されている定形名称選択画面とアイコン選択画面とを表示し、前記各画面により定形名称及びアイコンが選択されると、その選択された定形名称及びアイコンを前記ショートカットキーの名称及びアイコンとして表示するようにしてもよい（請求項１０）。
【００２３】
また、予め用意されている文字入力画面とアイコン選択画面とを表示し、前記各画面によりショートカットキーの名称の入力及びアイコンの選択が行われると、前記入力された名称及び選択されたアイコンを前記ショートカットキーの名称及びアイコンとして表示するようにしてもよい（請求項１１）。
【００２４】
その場合に、前記ショートカットキー表示画面は、当該操作装置の電源がＯＮされた直後に表示されるように構成する（請求項１２）と、ショートカットキーを操作するまでのオペレータのキー操作回数が低減され、操作装置の操作性が向上される。
【００２５】
その際、前記ショートカットキー表示画面に、当該ショートカットキー表示画面から前記機能設定画面に切り換えるキーを備えるとよい（請求項１３）。
【００２６】
そして、前記ショートカットキー表示画面にも前記割付指示キーを備える（請求項１４）と、ショートカットキー表示画面にも機能キーを備えることができ、このショートカットキー表示画面の機能キーで選択される機能をショートカットキーに割り付けることができる。
【００２７】
本発明は、請求項１ないし１６のいずれかに記載の操作装置において、前記表示部は、前記一連の機能が割り付けられたショートカットキーが選択されたときに、前記一連の機能が設定された状態の機能設定画面を表示することを特徴とするものである（請求項１５）。
【００２８】
この発明によれば、ショートカットキーを操作することで上記一連の機能をはじめから選択する作業が必要なくなり、一連の機能が選択済みの状態、つまり画像読取装置または画像形成装置が上記機能の実行開始指示を待機する状態にまでセットされる。
【００２９】
【発明の実施の形態】
画像形成装置及び画像読取装置の一例である複写装置に備えられる操作装置について説明する。
【００３０】
図１に示すように、本実施形態に係る複写装置１００（図１７参照）の操作装置１は、テンキー等の各種キー２ａ、スタートボタン２ｂ及びストップボタン２ｃからなる操作部２と、操作部２の左側方に位置する表示部３とを有する。表示部３は、図示しないが、タッチパネルと、その奥側に配設された液晶表示を行うＬＣＤとを備えている。このタッチパネルのパネル面に表示されたキーや操作部２をオペレータが操作することにより、当該複写装置１００が所望の条件で複写動作を行うように構成されている。
【００３１】
操作装置１においては、複数の機能が実行可能に備えられ、各機能が、転写紙の大きさ等や複写倍率を設定する機能（以下、この機能を基本機能という）と、転写紙への出力形態や出力濃度等を設定する機能（以下、この機能を編集機能という）と、１部ずつの出力セット作成や前記セットにステープルを施す等の機能（以下、この機能を仕上げ機能という）とに分類されている。
【００３２】
図２に示すように、複写装置１００の電源ＯＮ直後の表示部３には、基本画面５が表示され、この基本画面５には、「基本」キー１１、「編集機能」キー１２及び「仕上げ」キー１３が表示されている（以下、これらのキーの総称を項目キーという）。
【００３３】
各項目キー１１〜１３は、図２に示す各項目設定画面５〜７に対応付けられている。すなわち、各項目設定画面５〜７には、各項目キー１１〜１３が表示され、「基本」キー１１の押圧操作により「基本画面」５が、「編集機能」キー１２の押圧操作により「編集機能画面」６が、「仕上げ」キー１３の押圧操作により「仕上げ画面」７が表示部３に表示される。基本画面５は、上記基本機能に属する機能を選択する画面、編集機能画面６は上記編集機能に属する機能を選択する画面、仕上げ画面７は上記仕上げ機能に属する機能を選択する画面である。
【００３４】
各項目設定画面５〜７には、当該項目に属する機能の一覧が表示される。すなわち、基本画面５の左側領域であって項目キー１１〜１３の上方には、「Ａ４たて」キーＡ１，「Ａ４よこ」キーＡ２，「Ａ３よこ」キーＡ３，「Ｂ４よこ」キーＡ４，「手差し」キーＡ５及び「自動」キーＡ６の用紙選択用のキー（以下、これらのキーの総称を用紙選択キーという）、選択された倍率の値を表示する選択倍率表示部Ａ７、及び複写倍率を選択するための「倍率選択」キーＡ８が表示され、これらのキーＡ１〜Ａ６，Ａ８の押圧操作により、複写する用紙のサイズ、向き等や複写倍率が選択される。
【００３５】
編集機能画面６の左側領域には、「マージン」キーＢ１、「枠消し」キーＢ２、「鏡像」キーＢ３、「集約」キーＢ４、「両面／片面」キーＢ５、「濃度調整」キーＢ６が表示され、キーＢ１〜Ｂ６の押圧操作により、「マージン」や「枠消し」等の機能が選択される。
【００３６】
仕上げ画面７の左側領域には、「ソート」キーＣ１、「ステープル」キーＣ２、「パンチ」キーＣ３、「グループ」キーＣ４が表示され、キーＣ１〜Ｃ４の押圧操作により、「ソート」や「ステープル」等の機能が設定される。
【００３７】
各機能ごとに、その機能の詳細な機能を設定するための画面（以下、機能設定画面という）が階層的に設けられており、項目設定画面５〜７において所望のキーが押圧操作されると、そのキーに対応する機能設定画面が表示されるようになっている。
【００３８】
例えば、図３に示すように、「Ａ４たて」キーＡ１と「倍率選択」キーＡ８とが押圧操作されると、機能設定画面５１に切り換えられる。この画面５１には、設定された倍率を表示する選択倍率表示部Ａ９と、機能キーとしての「拡大」キーＡ１０、「縮小」キーＡ１１、「１００％」キーＡ１２、「１４１％」キーＡ１３、「２００％」キーＡ１４、「７０％」キーＡ１５及び「５０％」キーＡ１６とが表示されていると共に、さらにその下部に「ショートカットキー登録」キーＡ１７、「初期値に戻す」キーＡ１８及び「閉じる」キーＡ１９が表示されている。
【００３９】
この画面５１において、例えば、「５０％」キーＡ１６が押圧操作されると、選択倍率表示部Ａ９に「５０％」と表示された画面５２となる。この画面５２において「閉じる」キーＡ１９が押圧操作されると、転写紙のサイズ及び向きと複写倍率の設定が完了し、画面５における選択倍率表示部Ａ９に、「５０％」の文字が白黒反転して表示された画面５'となる。そして、スタートボタン２ｂの押圧操作により、上記設定内容で複写動作が行われる。なお、「Ａ４たて」キー以外の機能キーと倍率選択キーＡ８とが押圧操作されたときにも、上記と同様に、各機能における機能設定画面が表示される。
【００４０】
また、図４に示すように、例えば、編集機能画面６において、「集約」キーＢ４が押圧操作されると、第１の機能設定画面６１に切り換えられる。この画面６１には、機能キーとしての「なし」キーＢ７、「２イン１」キーＢ８及び「４イン１」キーＢ９が表示されていると共に、さらにその下部に「ショートカットキー登録」キーＢ１０、「初期値に戻す」キーＢ１１、「閉じる」キーＢ１２が表示されている。
【００４１】
この画面６１において、例えば、「２イン１」キーＢ８が押圧操作されると、各キーＢ７〜Ｂ９に加えて、「左とじ」キーＢ１３、「右とじ」キーＢ１４、「なし」キーＢ１５、「直線」キーＢ１６及び「破線」キーＢ１７の機能キーが表示された第２の機能設定画面６２に切り換えられる。この画面６２において、さらに「左とじ」キーＢ１３及び「破線」キーＢ１７が押圧操作されると、「２イン１」キーＢ８、「左とじ」キーＢ１３、「破線」キーＢ１７の機能キーが白黒反転表示された画面６２'となる。その後、「閉じる」キーＢ１２が押圧操作されると、「集約」の機能に関する詳細機能の設定が完了し、画面６における「集約」キーＢ４が白黒反転表示された画面６'となり、スタートボタン２ｂの押圧操作により、上記設定内容で複写動作が行われる。なお、「集約」キー以外のキーが押圧操作されたときにも、上記と同様に、各機能における機能設定画面が表示される。
【００４２】
また、図５に示すように、例えば、仕上げ画面７において、例えば、「ソート」キーＣ１が押圧操作されると、第１の機能設定画面７１に切り換えられる。この画面７１には、機能キーとしての「しない」キーＣ５、「する」キーＣ６が表示されると共に、さらにその下部に「ショートカットキー登録」キーＣ７、「初期値に戻す」キーＣ８、「閉じる」キーＣ９が表示されている。
【００４３】
この画面７１において、例えば、「する」キーＣ６が押圧操作されると、各機能キーＣ５，Ｃ６に加えて、「仕分け」に関する「しない」キーＣ１０及び「する」キーＣ１１の機能キーが表示された第２の機能設定画面７２に切り換えられる。この画面７２において、例えば、「しない」キーＣ１０が押圧操作された後、「閉じる」キーＣ９が押圧操作されると、「ソート」の機能に関する詳細機能の設定が完了し、画面７の「ソート」キーＣ１が白黒反転表示された画面７'となる。そして、スタートボタン２ｂの押圧操作により、上記設定内容で複写動作が行われる。なお、「ソート」キー以外の機能キーが押圧操作されたときにも、上記と同様に、各機能における機能設定画面が表示される。
【００４４】
このように、詳細機能の設定には、各キーを複数回にわたって押圧操作する必要があり、複写装置１００に複写動作を行わせるたびにこの作業を行うのは面倒である。
【００４５】
そこで、操作装置１は、上記のような各キーの複数回にわたる押圧操作の回数を低減させるべく、各詳細機能等の設定内容を所定のキー（以下、ショートカットキーという）に割付け可能に構成されている。
【００４６】
図２に示すように、各画面５〜７の各右側領域には、詳細機能等で複写動作を行わせる場合に、各キーの押圧操作の回数を低減させるべく設けられたショートカットキーＫ１〜Ｋ９を表示するショートカットキー表示部Ｓ１〜Ｓ３が設けられている。各画面５〜７のショートカットキー表示部Ｓ１〜Ｓ３には、それぞれ３種類のショートカットキーまで表示可能とされている。各ショートカットキーに機能等が割り付けられるまでは、キーＫ１〜Ｋ９上に「基本１」…，「編集１」…，「仕上げ１」…の文字が表示され、ショートカットキーに機能等が割り付けられると、上記文字に代えてその機能名等が表示されるようになっている。
【００４７】
以上に加えて、例えば、図３の画面５１，５２、図４の画面６１，６２，６２'及び図５の画面７１，７２などの各機能設定画面に、ショートカットキーＫ１〜Ｋ９に機能等を割り付けるための「ショートカットキー登録」キーＡ１７，Ｂ１０，Ｃ７を設けている。
【００４８】
ここで、これらの「ショートカットキー登録」キーＡ１７，Ｂ１０，Ｃ７を用いて上記ショートカットキーＫ１〜Ｋ９に機能等を割り付ける操作について説明する。
【００４９】
図４の画面６２'のように、各詳細機能が所望の設定内容に設定された後、「ショートカットキー登録」キーＢ１０が押圧操作されると、図６に示すように、上記設定内容を割付けるショートカットキーを選択するためのショートカットキー選択画面８に切換えられる。オペレータは、このショートカットキー選択画面８において、画面５〜７におけるショートカットキー表示領域Ｓ１〜Ｓ３の「基本１」キーＫ１、…、「編集１」キーＫ４、…、「仕上げ１」キーＫ７、…のうちどのショートカットキーに割付けるのかを選択することになる。
【００５０】
図６の画面８は、「基本１」キーＫ１には編集機能の一つである「マージン」の機能が、「仕上げ１」キーＫ７には仕上げ機能の一つである「ステープル」の機能がすでに割り付けられているとともに、キーＫ２〜Ｋ６，Ｋ８，Ｋ９には、機能がまだ割り付けられていないことを示している。したがって、この場合、オペレータは、キーＫ２〜Ｋ６，Ｋ８，Ｋ９の中から割り付けるキーを選択することになる。
【００５１】
その場合に、例えば、基本画面５のショートカットキーＫ１〜Ｋ３に割付ける機能等は、基本機能に属するもの以外、つまり編集機能や仕上げ機能に属するものでも割付け可能とされている。すなわち、各項目表示画面５〜７のショートカットキーＫ１〜Ｋ９には、他の項目に属する機能でも割付けることができるようになっている。このように項目枠を越えた割付けを可能にすることで、例えば同時に使う複数の機能の各ショートカットキーを１つの画面に集めて表示させたり、ある項目表示画面のショートカットキーが全て登録されたときには、他の項目表示画面のショートカットキーに登録したりすることが可能となり、複写装置１００の操作性を向上することができる。
【００５２】
図６の画面８において、「基本２」キーＫ２に機能を割り付ける場合を例にとって説明する。「基本２」キーＫ２を押圧すると、図７に示す名称入力画面Ｇ１に切り替わる。この名称入力画面Ｇ１は、「名称リストから入力」キーＳ１、「アイコンを入力」キーＳ２、「キーボードから自由名称を入力」キーＳ３、「アイコンを入力、名称リストから入力」キーＳ４、「アイコンを入力、キーボードから自由名称を入力」キーＳ５が表示されている。
【００５３】
このうち、「名称リストから入力」キーＳ１を押圧すると、図８に示すような名称選択画面Ｇ２が表示されるので、オペレータがその名称選択画面Ｇ２の名称リストから「基本２」キーＫ２に割り付ける機能に対応する適当な名称を選択した後、「閉じる」キーＢ１２を押圧することで、「基本２」キーＫ２への、「２イン１」，「左とじ」，「破線」を設定内容とする集約機能の割り付けが完了するとともに、図９に示すように、「基本２」キーＫ２に選択した名称「２イン１」が白黒反転表示された画面５ａが表示される。
【００５４】
一方、図７の名称入力画面Ｇ１において、「アイコンを入力」キーＳ２を押圧すると、図１０に示すようなアイコン選択画面Ｇ３が表示されるので、オペレータがそのアイコン選択画面Ｇ３のアイコンリストから「基本２」キーＫ２に割り付けられる機能に対応する適当なアイコンＩを選択した後、「閉じる」キーＢ１２を押圧することで、「基本２」キーＫ２に、「２イン１」，「左とじ」，「破線」を設定内容とする集約機能の割り付けが完了するとともに、図１１に示すように、選択したアイコンＩが「基本２」キーＫ２に表示された画面５ｂが表示される。
【００５５】
また、図７の名称入力画面Ｇ１において、「キーボードから自由名称を入力」キーＳ３を押圧すると、図１２に示すような文字入力画面Ｇ４に切り替わり、この文字入力画面Ｇ４のキーボードＫＢを使用して所望の名称を文字入力画面Ｇ４の文字表示部ｇ４１に入力した後、「決定」キーｇ４２を押圧することで、「基本２」キーＫ２に、「２イン１」，「左とじ」，「破線」を設定内容とする集約機能の割り付けが完了するとともに、図１３に示すように、「基本２」キーＫ２に例えば「ファイリング」等の自由名称が表示された画面５ｃが表示される。
【００５６】
また、図７の名称入力画面Ｇ１において、「アイコンを入力、名称リストから入力」キーＳ４を押圧すると、図１０に示すようなアイコン選択画面Ｇ３が表示され、このアイコン選択画面Ｇ３のアイコンリストから所望のアイコンＩを選択した後、「閉じる」キーＢ１２を押圧することで、図８に示すような名称選択画面Ｇ２が表示されるので、この名称選択画面Ｇ２の名称リストから所望の名称を選択した後、「閉じる」キーＢ１２を押圧することで、「基本２」キーＫ２に、「２イン１」，「左とじ」，「破線」を設定内容とする集約機能の割り付けが完了するとともに、図１４に示すように、「基本２」キーＫ２に選択した名称「２イン１」と、その名称の上にアイコンＩとが２段組で表示された画面５ｄが表示される。なお、ショートカットキーにアイコンと名称の両方を表示させる場合には、基本画面５の表示スペース上の制約からショートカットキーを２個のみ設定することができる。
【００５７】
また、図７の名称入力画面Ｇ１において、「アイコンを入力、キーボードから自由名称を入力」キーＳ５を押圧すると、図１０に示すようなアイコン選択画面Ｇ３が表示され、このアイコン選択画面Ｇ３のアイコンリストから所望のアイコンＩを選択した後、「閉じる」キーＢ１２を押圧することで、図１２に示すような文字入力画面Ｇ４に切り替わり、この文字入力画面Ｇ４のキーボードＫＢを使用して所望の名称を文字入力画面Ｇ４の文字表示部ｇ４１に入力した後、「決定」キーｇ４２を押圧することで、「基本２」キーＫ２に、「２イン１」，「左とじ」，「破線」を設定内容とする集約機能の割り付けが完了するとともに、図１５に示すように、「基本２」キーＫ２に設定した例えば「ファイリング」等の名称と、その名称の上に選択したアイコンとが２段組で表示された画面５ｅが表示される。なお、このように、ショートカットキーにアイコンと名称の両方を表示させる場合には上述の場合と同様に、基本画面５の表示スペースの制約からショートカットキーを２個のみ設定することができる。
【００５８】
なお、予め用意された名称リストやアイコンを「基本２」キーＫ２に表示させる場合には、ショートカットキー選択画面８において「基本２」キーＫ２を押して、選択した機能（「２イン１」，「左とじ」，「破線」を設定内容とする集約機能）の割り付けが完了したときに、選択した機能に対応する名称やアイコンがショートカットキーに自動的に表示されるようにしてもよい。このようにすれば、オペレータの操作量が軽減されることになり、ショートカットキーの設定登録作業が容易化する。
【００５９】
これにより、図１６に示すように、機能割付け済みの基本画面５ａにおいて、例えば「２イン１」の文字が表示されたショートカットキーＫ２を押圧操作すると、図４に示す画面６，６１，６２の表示を飛び越えて、画面６２'が表示されることとなり、スタートボタン２ｂの押圧操作により、上記の設定内容で複写動作が行われる。なお、図４の画面６１等の「初期値に戻す」キーＡ１８，Ｂ１１，Ｃ８は、各詳細機能の設定内容を予め設定されている初期値に戻すためのキーである。
【００６０】
上述したように、本操作装置１においては、各機能の各機能設定画面に上記「ショートカットキー登録」キーが設けられている。したがって、例えば、図３の画面５１において「ショートカットキー登録」キーＡ１７が押圧操作された場合には、それまでに選択・設定された内容、すなわち用紙の大きさ・向きが「Ａ４たて」で複写倍率が「１００％」の設定内容がいずれかのショートカットキーＫ１〜Ｋ９に割付可能となる。また、例えば、図３の画面５２において「ショートカットキー登録」キーＡ１７が押圧操作された場合には、用紙の大きさ・向きについての上記設定内容「Ａ４たて」と、変更された設定内容、複写倍率「５０％」とがいずれかのショートカットキーＫ１〜Ｋ９に割付可能となる。
【００６１】
これにより、各機能設定画面で、当該画面が表示されるまでに選択・設定された機能及び当該画面で設定された機能をショートカットキーに割り付けることができるので、機能を割り付けるための画面が所定の項目の下層にのみ設けられている場合に比べて、割付作業が簡単となり複写装置１００の操作性を向上することができる。
【００６２】
図１７は、複写装置１００の制御ブロック構成の一例を示す図である。
【００６３】
図１７に示すように、複写装置１００は、画像読取部１０１、画像記録部１０２、操作部２、表示部３及び全体制御部１１０を備える。
【００６４】
画像読取部１０１は、複写すべき原稿を読み取るものである。画像読取部１０１は、セットされた原稿を自動給送する自動原稿給送部、ＣＣＤ（Charge Coupled Device）ラインイメージセンサからなる撮像部及び画像処理部を有し、撮像部が原稿面を相対的に走査するように原稿を自動給送して当該原稿をライン単位で画像信号に変換して取り込み、この画像信号に所定の信号処理（レベル補正、γ補正、Ａ／Ｄ変換等）を施して、順次全体制御部１１０に出力する。
【００６５】
画像記録部１０２は、画像読取部１０１で読み取られた画像データを記録紙に記録するものである。画像記録部１０２は、例えばレーザプリンタからなり、画像データで変調されたレーザ光を感光体に照射して感光体表面に当該画像データからなる画像の静電潜像を形成するとともに、この潜像にトナーを静電的に付着して顕在化し、この顕像を用紙に転写して画像を形成する。
【００６６】
操作部２は、複写装置１００による画像データの複写処理を行うための各種の入力操作（各種のモードや条件の設定）を行うものである。
【００６７】
表示部３は、ＬＣＤ（Liquid Crystal Display）やタッチパネルから構成され、上記各種の画面等をＬＣＤで表示するものである。
【００６８】
全体制御部１１０は、マイクロコンピュータからなり、上記各部１０１，１０２，３の動作を制御して複写装置１００の複写機能を制御するものである。なお、全体制御部１１０は、複写装置１００に備えられる各種機能のプログラム等が記録されたＲＯＭ（Read Only Memory）１１１と、そのプログラムに従って所定の演算処理を行うためのＲＡＭ（Random Access Memory）１１２とを有する。
【００６９】
また、全体制御部１１０は、ＲＯＭ１１１及びＲＡＭ１１２の他に、上記機能割付処理を行うべく、機能割付部１１３と、表示制御部１１４と、ショートカットキー用メモリ１１５、機能選択部１１６と、機能実行部１１７と、名称・アイコン割付部１１８とを有する。
【００７０】
機能割付部１１３は、ショートカットキー登録キー及びショートカットキー選択画面８において選択されたショートカットキーの押圧操作信号を受けて、上記各種機能キー等により入力された機能及び詳細機能の設定内容をショートカットキーに割り付けるものである。
【００７１】
表示制御部１１４は、オペレータによる上記各種機能キー等の押圧操作を受けて、上記項目表示画面や「ショートカットキー登録」キーＡ１７，Ｂ１０，Ｃ７を有する機能設定画面等を表示部３に表示させるものである。
【００７２】
ショートカットキー用メモリ１１５は、割付けられたショートカットキーと設定された機能等とを対応させて記憶するものである。表示部３の表示画面には、２次元座標系が設定されており、ショートカットキー用メモリ１１５は、上記各項目表示画面５〜７における各ショートカットキーが占有する座標領域のデータと設定された機能等とを対応付けて記憶する。
【００７３】
機能選択部１１６は、項目表示画面において割付け済みのショートカットキーが押圧操作されたときに、このショートカットキーの座標領域に基いて、ショートカットキー用メモリ１１５に記憶されているデータから、対応する機能を読み出すものである。
【００７４】
機能実行部１１７は、上記機能選択部１１６により読み出された機能等で、画像読取部１０１及び画像記録部１０２に複写動作を実行させるものである。
【００７５】
名称・アイコン割付部１１８は、名称入力画面やアイコン選択画面によって選択された名称やアイコンを対応するショートカットキーに割り付けるものである。また、文字入力画面のキーボードから入力された名称を対応するショートカットキーに割り付けるものである。
【００７６】
次に、本実施形態に係る複写装置１００の機能割付処理を図１８に示すフローチャート図に従って説明する。
【００７７】
まず、当該複写装置１００の電源がＯＮされると、表示部３に基本画面５が表示される（ステップ♯１）。そして、この基本画面５において、「編集機能」キー１２または「仕上げ」キー１３のいずれかの項目キーが操作される（ステップ♯２でＹＥＳ）と、選択された項目に対応する項目表示画面に切換えられる（ステップ♯３）。例えば、上記基本画面５において「編集機能」キー１２が操作されると、編集機能画面６が表示される。そして、表示された項目表示画面においてキーが押圧操作されたか否かを判定し（ステップ♯４）、キーが操作される（ステップ♯４でＹＥＳ）と、その機能の機能設定画面が表示される（ステップ♯５）。なお、ステップ♯２において、基本画面で項目キーが何も操作されないとき（ステップ♯２でＮＯ）には、ステップ♯３の処理を飛ばしてステップ♯４の処理に移る。
【００７８】
各機能設定画面において、オペレータにより各種機能について所望の内容に設定され、「ショートカットキー登録」キーが操作される（ステップ♯６でＹＥＳ）と、ショートカットキー選択画面が表示され（ステップ♯７）、オペレータによりショートカットキーへの割付作業が完了する（ステップ♯８）と、選択されたショートカットキーに上記機能等が割り付けられる（ステップ♯９）。
【００７９】
以上のように、複数のショートカットキーを設定し、そのショートカットキーに他の項目に属する機能を割り付けることができ、しかも、そのショートカットキーに割り付けられた機能に対応する名称やアイコンをそのショートカットキーに表示できるように構成したので、オペレータは、ショートカットキーに割り付けられた機能を実行する場合、操作マニュアル等を参照することなく、ショートカットキーの表示にしたがって所望の機能を選択でき、且つ、選択した機能を設定する操作をすることなく、ショートカットキーの押圧操作のみで複写作業を開始させることが可能になる。その結果、操作装置１の操作が極めて容易になり、複写装置１の操作性を向上することができる。
【００８０】
そして、各機能設定画面において所望の機能をショートカットキーに割付けられるように構成したから、割付けようとする機能の割付作業をその機能の機能設定画面で行え、ショートカットキーに所望の機能等を割り付ける機能が、一つの項目にのみ属するように構成されている従来の場合に比べて、割付作業を簡単化することができる。
【００８１】
また、従来のように、機能等を割り付ける機能がどの項目に属しているのかを周知しておくというようなことが不要となり、装置の操作マニュアル等を参照するなどの面倒な作業も生じなくなる。
【００８２】
さらに、詳細機能までショートカットキーに割り付けられるように構成したから、詳細機能については逐次設定するように構成された従来の場合に比べて、詳細機能の設定内容までほとんどいつも決まっているというような場合に、詳細機能の設定作業が必要なくなり、複写装置に詳細機能を実行させる際の手間を省くことができる。
【００８３】
また、各項目表示画面のショートカットキーに、他の項目に属する機能でも割付けることができるように構成したから、例えば同時に使う複数の機能の各ショートカットキーを１つの画面に集めて表示させたり、ある項目表示画面のショートカットキーが全て登録されたときには、他の項目表示画面のショートカットキーに登録したりすることが可能となり、操作性を向上することができる。
【００８４】
また、ショートカットキーに文字入力画面のキーボードから自由な文字を入力できるようになっているため、より一層ユーザーニーズに合致した名称をショートカットキーに表示でき、ショートカットキー間の区別をより一層容易化することができ、操作性がより一層向上する。
【００８５】
なお、上記実施形態は、複写装置の操作装置に本発明を適用したものであるが、これに限らず、例えば、ファクシミリ装置などの他の画像形成装置や画像読取装置の操作装置に適用することができる。
【００８６】
また、第１の実施形態のように、基本画面５、編集機能画面６、仕上げ画面７の各画面ぞれぞれにショートカットキーを表示させるように構成するのが好ましいが、画面５〜７のうち、いずれか一つもしくは二つの画面にショートカットキーを表示させるように構成してもよい。
【００８７】
さらに、第１の実施形態においては、各ショートカットキーの下に詳細な機能の設定内容が表示されるように構成されているが、例えば、「集約」の詳細機能「２イン１」、「左とじ」、「破線」の設定内容がショートカットキーに割り付けられたときに、ショートカットキー上に「集−２−左−破」のように各名称の頭文字を取って、詳細機能の設定内容をショートカットキーに簡略化して表示するように構成してもよい。
【００８８】
また、ショートカットキーに、上記詳細機能の設定内容に加えて、ユーザーをも登録可能として、ユーザー名やイニシャル、あるいはユーザーに対応するシンボルマークをショートカットキー上に表示できるように構成してもよい。
【００８９】
基本画面５、編集機能画面６、仕上げ画面７にそれぞれ「ショートカットキー登録」キーを設けてもよい。これにより、例えば、基本画面５が表示されている状態から編集機能画面６の「集約」キーＢ４を選択しようとする場合に、上記の「ショートカットキー登録」キーを用いて基本画面５のいずれかのショートカットキーに「集約」の機能を割り付けておけば、「編集機能」キー１２を操作することなく、「集約」キーＢ４が選択・設定済みの編集機能画面が表示されることになる。
【００９０】
図１９に示すように、基本機能、編集機能、仕上げ機能の中に、複数の機能ａ1〜ｕnが階層的(ツリー状)に設けられ、各機能ａ1〜ｕnを選択・設定するための機能設定画面Ａ〜Ｕが備えられている場合には、各機能設定画面Ａ〜Ｕのそれぞれに「ショートカットキー登録」キーを設け、この「ショートカットキー登録」キーが操作されると、この操作までに選択・設定された機能をショートカットキーに割り付けるように構成してもよい。
【００９１】
また、例えば、機能ｄ1及び機能ｈnのように異種の機能を１つのショートカットキーに割り付けるようにしてもよい。
【００９２】
上記実施形態においては、各項目設定画面にそれぞれ複数のショートカットキーを備え、前記設定された一連の機能を割り付ける対象のショートカットキーを、全ショートカットキーの中から選択できるようにしたが、これに限らず、各項目設定画面に少なくとも１のショートカットキーを備え、前記設定された一連の機能を割り付ける対象のショートカットキーを、全部または一部のショートカットキーの中から選択できるようにしてもよいし、上記各項目設定画面のうち１の項目設定画面のみにショートカットキーを複数備え、前記設定された一連の機能を割り付ける対象のショートカットキーをその中から選択できるようにしてもよい。
【００９３】
表示部３の基本画面等の表示画面の他の実施形態として次のようなものでもよい。
【００９４】
図２０は、基本画面の第２の実施形態である。この基本画面５０１の下部には、当該基本画面５０１を示す「基本」タブ５０２の他に、「ユーザー機能」タブ５０３、「機能リスト」タブ５０４、「プログラム」タブ５０５の各タブが表示されている。なお、「ユーザー機能」タブ５０３を押圧すると図２１に示すユーザー機能画面５０６が表示され、「機能リスト」タブ５０４を押圧すると図２２や図２３に示す機能リスト画面５０７Ａ，５０７Ｂが表示される。また、「プログラム」タブ５０５を押圧すると、複写装置１００を作動させる一連の機能を組み合わせて登録するためのプログラム設定画面（図示せず）が表示されるようになっている。
【００９５】
ここで、図２０に示す基本画面５０１には、４個の機能に属する機能選択キー５０８ａ〜５０８ｆ，５０９〜５１１が表示されている。すなわち、「用紙選択」、「縮小／拡大」、「両面／分割」、「ソート／仕分け」の４個の機能に対応する機能選択キーである。このうち、「用紙選択」機能に対応する機能選択キーは、「Ａ４普通紙」のキー５０８ａから「手差し普通紙」のキー５０８ｆまでの６個のキー５０８ａ〜５０８ｆが表示されている。また、この基本画面５０１には、余白部分に３個のショートカットキー５１２〜５１４が表示され、上記４個の機能の他に、さらに３個の機能を設定登録することができるようになっている。なお、この基本画面５０１は、「用紙選択」機能で「自動用紙」が設定され、「縮小／拡大」機能で「１００％」が設定され、「両面／分割」機能で「片面→片面」が設定され、「ソート／仕分け」機能で「ソートしない」が設定された状態を示している。また、この基本画面５０１において、「縮小／拡大」、「両面／分割」、「ソート／仕分け」の各キー５０９〜５１１を押圧すると、各機能の詳細機能を設定するための画面が表示されるようになっている。
【００９６】
例えば、「縮小／拡大」の機能選択キー５０９を押圧すると、図２３の５１５ａに示す機能設定画面が表示され、５０％のキー５１６を押圧すると、同図５１５ｂに示すように倍率選択画面５１７の表示が１００％から５０％に切り替わり、「閉じる」キー５１８を押圧すると、同図５１５ｃに示す基本画面５０１に戻り、選択倍率表示部５２０に５０％と表示されて、複写倍率の設定が完了する。この状態で図１のスタートキー２ｂを押圧すれば、各機能選択キーで選択された条件にしたがって複写が行われる。
【００９７】
図２１に示すユーザー機能画面５０６には、１０個の機能が表示されている。すなわち、「濃度設定」、「原稿の画質」、「原稿サイズ選択」、「集約」、「ページ印字」、「フォーム合成」、「とじしろ／画像移動」、「枠消し」、「週刊誌とじ」、「製本」の各機能選択キー５１９〜５２８が、各機能を表すアイコン５２９〜５３８と共に表示されている。なお、これら各機能選択キー５１９〜５２８を押圧すると、詳細機能を設定するための画面が表示されるようになっている。
【００９８】
例えば、「集約」の機能選択キー５２２を押圧すると、図２４の上図に示す第１の機能設定画面が表示され、「２イン１」のキー５３９を押圧すると、更に図２４の下図に示す第２の機能設定画面が表示され、ここで、配置を「左とじ」とし、罫線を「なし」として、「閉じる」キー５４０を押圧すれば、図２１に示すユーザー機能画面５０６に戻り、集約の詳細設定が完了する。この状態でスタートキー２ｂを押圧すれば、各機能選択キーで選択された条件にしたがって複写が行われる。
【００９９】
図２２に示す機能リスト画面５０７Ａ，５０７Ｂには、複写装置１００の全機能の２２種に対応する「用紙選択」から「原稿セット向き」までの各機能選択キーが表示されている。これらの各機能選択キーを押圧すると、各機能に対応する詳細機能を設定するための画面が表示されるようになっている。なお、表示部分の画面の大きさによる都合上、２つの画面に分けて表示されるようになっている。
【０１００】
ここで、上述の基本画面５０１は、図示しない初期設定画面によって、「用紙選択」の機能を除く他の３個の機能を図２５の６個の機能グループＡから任意に選択して表示させることができるようになっている。また、上述のユーザー機能画面５０６は、図示しない初期設定画面によって、機能グループＡのうちで基本画面５０１に表示されない３個の機能を選択して表示でき、このグループＡの３個の機能の他に、図２５の機能グループＢから任意の７個の機能を選択して表示させることができるようになっている。すなわち、最も使用頻度が高い「用紙選択」の機能を基本画面５０１上で固定し、「用紙選択」の機能の次に使用頻度が高いと思われる６個の機能を基本画面５０１とユーザー機能画面５０６に優先的に割り付けるようにして、ユーザーの使用勝手を改善している。なお、機能グループＢの全機能は、機能リスト画面５０７Ａ，５０７Ｂに表示される２２種の機能である。
【０１０１】
また、上述の図２０に示す基本画面５０１において、３個のショートカットキー５１２〜５１４は、複写装置１００に備えられた２２種の機能の中の所望の機能とその機能の詳細機能の設定内容とを割り付けておくことにより、所望の機能を選択した場合のキー操作回数を低減し、スピーディーな複写作業を可能にするために設けられたものである。例えば、図２６に示すように、各ショートカットキー５１２〜５１４に「両面／分割」の機能、「集約」の機能、「週刊誌とじ／製本」の機能をそれぞれ割り付けるようにしてもよい。
【０１０２】
そして、例えばユーザー機能画面５０６又は機能リスト画面５０７Ａ，５０７Ｂにおいて、「集約」機能選択キーを押圧すると、図２４の上に示す機能設定画面に切り替わる。この機能設定画面は、「なし」、「２イン１」、「４イン１」の各キーが表示されるようになっている。この機能設定画面において、例えば、「２イン１」キー５３９を押圧すると、図２４の下に示す機能設定画面に切り替わる。そこで、この機能設定画面において、例えば、配置の「左とじ」キー５４１を選択し、罫線の「破線」キー５４２を押圧し、「ショートカットキー登録」キー５４３を押圧すると、図２７に示す登録場所指定画面に切り替わる。この登録場所指定画面には、「ショートカット１」キー５４４、「ショートカット２」キー５４５、「ショートカット３」キー５４６が表示されている。なお、「ショートカット１」キー５４４には、既に「両面／分割」機能が割り付けられているため、その「両面／分割」機能を示す文字が表示されている。そして、「ショートカット２」キー５４５を押圧すると、図７に示す名称入力画面Ｇ１に切り替わるようにすればよい。
【０１０３】
【発明の効果】
本発明によれば、複数の機能の中の任意の機能を割り付けることのできるショートカットキーを備えるショートカットキー表示画面を表示部に表示可能とし、且つ、階層的に位置付けられた複数の機能設定画面に、前記ショートカットキーへの機能の割り付け指示を行うための割付指示キーを備え、割付指示キーが選択されると、その割付指示キーを備える機能設定画面が前記表示部に表示されるまでに設定された一連の機能を前記ショートカットキーに割り付けられるように構成したから、各機能設定画面において、ショートカットキーへの機能の割付けを行うことができる。したがって、従来のように、機能を割付けるための画面を所定の項目の下層の唯一の画面にしか設けられていない場合に比べて、割付作業が簡単となり、操作装置の操作性を向上することができる。また、オペレータは、ショートカットキーへの機能の割付方法を周知しておく必要がなくなり、延いては、操作マニュアル等を参照するなどの面倒な作業を省くことができる。
【０１０４】
また、前記割付指示キーが選択されると、その割付指示キーを備える機能設定画面が前記表示部に表示されるまでに設定された一連の機能とともに、その機能設定画面で設定された機能も前記ショートカットキーに割り付けるようにしたので、そのショートカットキーが選択されたときには、前記機能設定画面で設定された機能も前記画像形成装置または画像読取装置に対して実行可能に設定されるので、機能設定時のオペレータのキー操作の回数がさらに低減し、操作装置の操作性を更に向上することができる。
【０１０５】
また、前記割付指示キーが選択されたときに、前記設定された一連の機能が割り付けられたショートカットキーを、機能が割り付けられていないショートカットキーとは異なる表示形態で表示するように構成したので、機能が割り付けられたショートカットキーと機能が割り付けられていないショートカットキーとの区別が明瞭となるので、操作装置の操作性を更に向上することができる。
【０１０６】
また、予め用意されている文字入力画面を表示し、前記文字入力画面によりショートカットキーの名称が入力されると、その入力名称をショートカットキーの名称として表示するようにしたので、ショートカットキーに文字入力画面のキーボードから自由な文字を入力できるようになっているため、より一層ユーザーニーズに合致した名称をショートカットキーに表示でき、ショートカットキー間の区別をより一層容易化することができ、操作性がより一層向上する。
【０１０７】
また、前記表示部を、複数のショートカットキーを表示可能とし、前記機能割付部を、前記設定された一連の機能を割り付ける対象のショートカットキーを前記複数のショートカットキーの中から選択可能に構成したので、複数の機能をそれぞれショートカットキーに割り付けることができ、上記複数の機能についてオペレータの操作回数が低減されるので、操作装置の操作性を更に向上することができる。
【０１０８】
また、前記ショートカットキー表示画面は、当該操作装置の電源がＯＮされた直後に表示されるように構成したので、ショートカットキーを操作するまでのオペレータのキー操作回数が低減され、操作装置の操作性が向上される。
【０１０９】
また、前記表示部を、前記一連の機能が割り付けられたショートカットキーが選択されたときに、前記一連の機能が設定された状態の機能設定画面を表示するように構成したので、ショートカットキーを操作することで上記一連の機能をはじめから選択する作業が必要なくなり、一連の機能が選択済みの状態、つまり画像読取装置または画像形成装置が上記機能の実行開始指示を待機する状態にまでセットされ、これにより操作装置の操作性を向上することができる。
【図面の簡単な説明】
【図１】本発明に係る操作装置の概観図である。
【図２】各項目表示画面を示す図である。
【図３】基本機能における機能設定画面の一例を示す図である。
【図４】編集機能における機能設定画面の一例を示す図である。
【図５】仕上げ機能における機能設定画面の一例を示す図である。
【図６】ショートカットキー選択画面を示す図である。
【図７】名称入力画面を示す図である。
【図８】名称選択画面を示す図である。
【図９】機能割付け後のショートカットキーを含む基本画面を示す図である。
【図１０】アイコン選択画面を示す図である。
【図１１】機能割付け後のショートカットキーを含む基本画面を示す図である。
【図１２】文字入力画面を示す図である。
【図１３】機能割付け後のショートカットキーを含む基本画面を示す図である。
【図１４】機能割付け後のショートカットキーを含む基本画面を示す図である。
【図１５】機能割付け後のショートカットキーを含む基本画面を示す図である。
【図１６】ショートカットキーを用いた場合に表示される画面の一例を示す図である。
【図１７】複写装置の制御ブロック構成図である。
【図１８】機能割付処理の動作を示すフローチャート図である。
【図１９】複数の機能がツリー状に分類された状態を示す説明図である。
【図２０】基本画面の第２実施形態を示す図である。
【図２１】ユーザー機能画面を示す図である。
【図２２】リスト機能画面を示す図である。
【図２３】「縮小／拡大」機能の詳細機能を設定する画面の一例を示す図である。
【図２４】「集約」機能の詳細機能を設定する画面の一例を示す図である。
【図２５】機能リスト中の機能の優先順位を示す図である。
【図２６】ショートカットキーに名称リストから名称を入力した状態の基本画面の一例を示す図である。
【図２７】ショートカットキーの登録場所指定画面である。
【符号の説明】
１    操作装置
２    操作部
３    表示部
１００  複写装置
１１８  名称・アイコン割付部
Ｋ１〜Ｋ９    ショートカットキー
キーＡ１７，Ｂ１０，Ｃ７  ショートカットキー登録
Ｇ２    名称選択画面
Ｇ３    アイコン選択画面
Ｇ４    文字入力画面
【図１】
0003626710.tif 000002
【図２】
0003626710.tif 000003
【図３】
0003626710.tif 000004
【図４】
0003626710.tif 000005
【図５】
0003626710.tif 000006
【図６】
0003626710.tif 000007
【図７】
0003626710.tif 000008
【図８】
0003626710.tif 000009
【図９】
0003626710.tif 000010
【図１０】
0003626710.tif 000011
【図１１】
0003626710.tif 000012
【図１２】
0003626710.tif 000013
【図１３】
0003626710.tif 000014
【図１４】
0003626710.tif 000015
【図１５】
0003626710.tif 000016
【図１６】
0003626710.tif 000017
【図１７】
0003626710.tif 000018
【図１８】
0003626710.tif 000019
【図１９】
0003626710.tif 000020
【図２０】
0003626710.tif 000021
【図２１】
0003626710.tif 000022
【図２２】
0003626710.tif 000023
【図２３】
0003626710.tif 000024
【図２４】
0003626710.tif 000025
【図２５】
0003626710.tif 000026
【図２６】
0003626710.tif 000027
【図２７】
0003626710.tif 000028